(57)【要約】本発明は、ガラスまたは金属のような材料でできている物体の装飾方法および装置であって、該方法において前記物体の表面の少なくとも一部を、模様を形成しながら重合するのに適した物質を含む被覆材で覆う方法および装置に関する。該方法によれば、−送風によって前記物体を乾燥させて除塵し、−ある期間、前記物体を規定の物理的条件のもとで置くように該物体を調整し、−前記各物体の表面に、重合するのに適した前記物質を塗布し、−前記物体を、前記物質が所望の模様を形成しながら乾燥により重合することを可能にする環境に置く。【特許請求の範囲】
【請求項１】
物体の装飾方法、特にガラスまたは金属のような材料でできている物体(２)の装飾方法であって、該方法において、前記物体（２）の表面の少なくとも一部を、模様を形成しながら重合するのに適した物質を含む被覆材で覆う方法であって、
−送風によって前記物体（２）を乾燥させて、除塵し、
−ある期間、前記物体（２）を規定の物理的条件のもとで置くように該物体を調整し、
−前記各物体（２）の表面に、重合するのに適した前記物質を塗布し、
−前記物体（２）を、前記物質が所望の模様を形成しながら乾燥により重合することを可能にする環境に置くことを特徴とする、装飾方法。
【請求項２】
２ｋｇ／ｃｍ2〜４ｋｇ／ｃｍ2の圧力で、サンドブラストによって前記物体（２）の表面のつや消しを行うことを特徴とする、請求項１に記載の方法。
【請求項３】
重合するのに適した前記物質を塗布する前に、前記物体（２）を４℃〜６℃の温度で２４時間調整することを特徴とする、請求項１または請求項２に記載の方法。
【請求項４】
前記各物体（２）に、前記模様の所望の最終外観に従って事前決定された粘度のシクロヘキサノン溶液を塗布することを特徴とする、請求項１〜３のいずれか一つに記載の方法。
【請求項５】
重合するのに適した前記物質を前記物体（２）の表面に塗布した後、空気を乾燥させ通気を制御した環境において、大気圧下でかつ０℃〜８℃の温度で、これらの乾燥させるべき物体を１０分〜６０分間置くことを特徴とする、請求項１〜４のいずれか一つに記載の方法。
【請求項６】
前記物体（２）を４℃〜６℃の温度のもとに置くことを特徴とする、請求項５に記載の方法。
【請求項７】
重合させるのに適した前記物質を塗布した後、前記物体（２）の各々の間に少なくとも約５ｃｍの間隔を確保することにより、該物体相互間のあらゆる干渉を回避するように乾燥させるべき該物体を配置することを特徴とする、請求項１〜６のいずれか一つに記載の方法。
【請求項８】
重合させるのに適した前記物質を装飾すべき前記物体（２）に塗布するための移動可能なタンク（１）と、一列ごとに前記物体（２）を捕捉し前記タンク（１）の方に搬送する手段と、温度、湿度測定および通気の所与の条件のもとで前記物体（２）を乾燥させることを可能にする手段とを含むことを特徴とする、請求項１〜７のいずれか一つに記載の方法を実施するための装置。
【請求項９】
前記タンク（１）がジャッキ付きピストン（３）によって作動し、該ジャッキ付きピストンが物体（２）の各列を塗装するために該タンクを上昇させ、次いで再下降させることを特徴とする、請求項８に記載の装置。
【請求項１０】
前記捕捉および搬送手段が、開閉可能な何列かのクランプ（５）を備えた少なくとも一つのベルトコンベヤ（４）から成り、前記ベルトコンベヤ（４）が、一組の歯車（６）によってそれぞれが作動する平行した二つのチェーンによって牽引されることを特徴とする、請求項８または請求項９に記載の装置。
【請求項１１】
クランプ（５）が互いにある距離を置いて各列の上に配置されており、それにより、一度吊るされると物体（２）が約５ｃｍの間隔をあけるようになっていることを特徴とする、請求項１〜１０のいずれか一つに記載の装置。
【請求項１２】
空気を制御して通過させ、前記物体を乾燥させるために調整する開口部を備えた支柱（８）によって固定された支持フレーム（７）を具備していることを特徴とする、請求項８〜１１のいずれか一つに記載の装置。
【請求項１３】
一列ごとに前記物体（２）を、前記捕捉および搬送手段の方に搬入する傾斜移動台（９）を具備していることを特徴とする、請求項８〜１２のいずれか一つに記載の装置。
【請求項１４】
前記傾斜移動台（９）が、物体（２）の列の送出を容易にするベルトおよび滑車の装置（１０）を具備していることを特徴とする、請求項１３に記載の装置。
【発明の詳細な説明】
【技術分野】
【０００１】
本発明は、ガラスまたは金属のような材料でできている瓶のような物体の装飾方法を目的としたものであって、該方法においては、前記物体の表面の少なくとも一部を、模様を形成しながら重合するのに適した物質を含む被覆材で覆うものである。
【０００２】
本発明はまた、本発明による方法を実施するための装置に関するものである。
【背景技術】
【０００３】
現在、物体を装飾するにはさまざまな方法があるが、これらの方法により得られる模様および効果は、主としてその模様および効果を実現するために使用する技術および材料によって決まる。
【０００４】
もちろん塗料の膜を塗布する方法もあるが、その場合、模様は、欧州特許第０３８１２８６号明細書および特開昭６０−６１０７８号公報に記述されているような浮彫りではない。
【０００５】
また、高温での処理を必要とし、かつ高エネルギー消費のプラスチック材を介入させる方法も知られており、かかる方法は英国特許第９３６１４７号明細書、および米国特許第２９８１６３９号明細書に記述されている。
【０００６】
その他の方法も従来技術の明細書に記述されており、たとえば米国特許第６２１４４２４号明細書は、ガラスまたはプラスチックからなる物体に、氷晶を模倣した浮彫りによる装飾を得るために用いられる方法に関係したものである。
【０００７】
前記方法は、シルクスクリーン印刷の助けを借りるもので、要するに、スクリーンから前記物体に重合体被覆材を印刷し、次いで前記重合体を熱処理またはＵＶ放射による処理をして、所望の氷晶を得るようにすることからなるものである。
【０００８】
予想し得る最終段階は、得られた模様の上に、特にシリコーンのような保護被覆材を塗布することからなる。
【０００９】
英国特許第１４８７９６９号明細書には、前述したものに類似した方法について記述されているが、該方法は熱可塑性インクの使用に基づいたものである。
【００１０】
また特に欧州特許第０５３３０９４号明細書では、ガラスからなる物体に、まずラジカル重合によって得られた被覆材を塗布し、次いで、前記被覆材をきわめて高エネルギーの放射に晒して硬化させることにより、該物体を覆うことが知られている。
【００１１】
上述したさまざまな方法は、一般的に、すでに冷却し、鋳型から取り出したガラスからなる物体に関するものである。
【００１２】
しかしながら、前記物体をその製造の終了時点ではあるが、まだ高温状態で、かつまだ鋳型内にある時点から装飾することも知られている。
【００１３】
この典型的な例において予想し得る方法については、特に米国特許第１６９３７３５号明細書に記述されている。
【００１４】
上記の明細書では、ガラスからなる物体が焼なまししてまだ高温状態にある時、組織からなる支持体の上に沈着する装飾を形成する鉱物顔料を塗布することが提案されている。
【００１５】
前記焼なましの時に、顔料は前記物体上で融解して固着する。
【特許文献１】欧州特許第０３８１２８６号明細書
【特許文献２】特開昭６０−６１０７８号公報
【特許文献３】英国特許第９３６１４７号明細書
【特許文献４】米国特許第２９８１６３９号明細書
【特許文献５】米国特許第６２１４４２４号明細書
【特許文献６】英国特許第１４８７９６９号明細書
【特許文献７】欧州特許第０５３３０９４号明細書
【発明の開示】
【発明が解決しようとする課題】
【００１６】
本発明は、特に瓶のような物体に氷晶を模倣した模様を得ることができる、その他の方法にも関するものである。
【課題を解決するための手段】
【００１７】
そのため本発明が目的とするのは、特に瓶のような物体の装飾方法であって、該方法において前記物体の表面の少なくとも一部を、模様を形成しながら重合するのに適した物質を含む被覆材で覆う方法であって、
−送風によって前記物体を乾燥させて、除塵し、
−ある期間、前記物体を規定の物理的条件のもとで置くように該物体を調整し、
−前記各物体の表面に、重合するのに適した前記物質を塗布し、
−前記物体を、前記物質が所望の模様を形成しながら乾燥により重合することを可能にする環境に置くことを特徴とする、装飾方法である。
【００１８】
好ましくは、該物体を事前に水洗することが注目される。
【００１９】
前記方法の第一の特徴によれば、事前に、２ｋｇ／ｃｍ2〜４ｋｇ／ｃｍ2の圧力でのサンドブラストによって、該物体の表面のつや消しを行う。
【００２０】
前記方法の別の特徴によれば、重合するのに適した前記物質を塗布する前に、物体を４℃〜６℃の温度で２４時間調整する。
【００２１】
さらなる別の特徴によれば、各物体に、前記模様の所望の最終外観に従って事前決定された粘度のシクロヘキサノン溶液を塗布する。
【００２２】
他方、さらに前記方法は、重合するのに適した前記物質を物体の表面に塗布した後、空気を乾燥させ通気を制御した環境において、大気圧下でかつ０℃〜８℃の温度で、これらの乾燥させるべき物体を１０〜６０分間置くことを特徴としている。
【００２３】
好ましい実施のさらなる別の特徴によれば、前記方法は、前記乾燥させるべき物体を４℃〜６℃の温度のもとに置くことを特徴としている。
【００２４】
本発明による方法のさらなる別の特徴によれば、重合させるのに適した前記物質を塗布した後、前記物体の各々の間にある間隔、好ましくは少なくとも約５ｃｍの間隔を確保することにより、該物体相互間のあらゆる干渉を回避するように乾燥させるべき該物体を配置する。
【００２５】
そのうえ本発明は、上記のような特徴を有する方法を実施するための装置に関する。
【００２６】
そのため本発明は、重合させるのに適した前記物質を装飾すべき前記物体に塗布するための移動可能なタンクと、一列ごとに前記物体を捕捉し前記タンクの方に搬送する手段と、温度、湿度測定および通気の所与の条件のもとで前記物体を乾燥させることを可能にする手段とを含むことを特徴とする装置を目的としている。
【００２７】
特に有利な方法では、前記装置は、前記タンクがジャッキ付きピストンによって作動し、該ジャッキ付きピストンが該物体の各列を塗装するために該タンクを上昇させ、次いで再下降させることを特徴としている。
【００２８】
他方、別の特徴によれば、前記捕捉および搬送手段は、開閉可能な何列かのクランプを備えた少なくとも一つのベルトコンベヤから成り、前記ベルトコンベヤは、一組の歯車によってそれぞれが作動する平行した二つのチェーンによって牽引される。
【００２９】
本発明による装置のさらなる別の特徴によれば、クランプは互いにある距離を置いて各列の上に配置されており、それにより、一度吊るされると物体が約５ｃｍの間隔をあけるようになっている。
【００３０】
さらなる別の特徴によれば、前記装置は、空気を制御して通過させ、乾燥させるために前記物体を調整する開口部を備えた支柱によって固定された支持フレームを具備している。
【００３１】
別の特徴によれば、そのうえ前記装置は、一列ごとに前記物体を前記捕捉および搬送手段の方に搬入する傾斜移動台を具備している。
【００３２】
そして、最後の特徴によれば、前記傾斜移動台は、前記物体の列の送出を容易にするベルトおよび滑車の装置を具備している。
【発明を実施するための最良の形態】
【００３３】
本発明は、参考として非限定的に示された実施例に関係した以下の説明を読むことによって、よりよく理解されるであろう。
【００３４】
この説明を理解することは、以下の添付図面を見ることによって容易となるであろう。
図１は、本発明による装置を可能な機能の状態において正面から見た、概略的な断面図を示したものであり、
図２は、別の状態における装置の同一断面図を示したものであり、
図３は、本発明による装置の単純化した斜視図を示したものである。
【００３５】
本発明は特に、たとえばガラスまたは金属からなることができる、たとえば瓶のような物体の装飾方法に関するものであり、該方法は、前記瓶を、少なくとも部分的に霜晶または氷晶を模倣した被覆材で覆うことからなるものである。
【００３６】
前記被覆材は、前記方法によって定められた段階において、求められている種類の模様を形成するのに適した特殊な重合体の溶液をもとにして得られるものである。
【００３７】
実際この方法は、前記重合体を塗布するために、主として、まず前記瓶を準備することからなる。
【００３８】
そのため、好ましくは事前に瓶の表面のつや消しを行い、その場合、関連する瓶の脆性に応じて２ｋｇ／ｃｍ2〜４ｋｇ／ｃｍ2の圧力で、好ましくはサンドブラストを用いる。
【００３９】
この最初の段階は特に重要であり、その時の入念さにより最終結果の品質が決定される。
【００４０】
実際、続いてつや消しによって、結晶体の各粒子が処理された表面に引っ掛かることが可能になり、該表面を結晶体の全ての輝きで覆うようになる。
【００４１】
したがって、非常に注意して綿密につや消しを行わなければならない。
【００４２】
続いて瓶を水洗洗浄し、その後、やはり注意しながら送風により乾燥させて、除塵する。
【００４３】
所望の霜晶の形成を最適化するために、前記方法ではまた、洗浄した瓶を重合反応が最もよく行われ得るような条件に対応する、規定された物理的条件のもとに置くことができるよう、ある期間これらの瓶を調整することが想定されている。
【００４４】
そのため、瓶を覆う前に、温度を４℃〜６℃に維持した場所にこれらの瓶を２４時間滞留させる。
【００４５】
その段階の後、重合するのに適した物質を塗布する。
【００４６】
前記塗布は、本発明による方法の手工業的な実施の一環として、たとえば刷毛を用いて手で行うことができる。
【００４７】
前記塗布はまた、本明細書で後ほど述べることになる、本発明による装置の適切な手段を用いて、機械的に実現することもできる。
【００４８】
他方、本方法は、乾燥による重合と氷晶を模倣した模様の形成とに適した物質として、シクロヘキサノン溶液を使用することを奨励している。
【００４９】
前記シクロヘキサノン溶液は、所望の最終結果に対応した物理的化学的特徴を呈するように調製される。
【００５０】
こうして前記溶液の粘度は、たとえば、所望の結晶体の最終外観に応じて、注意深く事前決定される。
【００５１】
実際、粘度は結晶体の色彩に直接影響を与え、該色彩はさまざまな色調の灰色を経て、白色から透明のものにわたるものである。
【００５２】
シクロヘキサノン溶液の粘度が高くなればなるほど、前記結晶体の白色は弱くなる。
【００５３】
重合させるのに適した前記溶液を一旦塗布すると、求める特徴を呈する環境に前記瓶を置くことにより、乾燥によって重合が行われることが可能となる。
【００５４】
本発明による方法では、特に、空気を乾燥させ通気を制御した環境において、大気圧下で、かつ０℃〜８℃、好ましくは４℃〜６℃で、前記瓶を１０〜６０分間置くことが想定されている。
【００５５】
これらのさまざまな特徴における数値によれば、所与の結果を得ることができよう。
【００５６】
実際、シクロヘキサノン溶液に含まれる溶媒が蒸発すると、結晶体を形成しながら重合が行われる。
【００５７】
重合は空気の移動により開始されるが、該空気の移動は完全に制御されるものでなければならない。
【００５８】
好ましくは、乾燥を行うのはあまり速過ぎてはならない、さもないと、所望の結晶体効果が組織を欠く恐れがあるからである。
【００５９】
他方、湿度率もまた結晶体の外観に影響を与え、万一の場合、該結晶体がより輝度を増したり、より不透明になったりする。
【００６０】
同様に温度が８℃を超えると、被覆材の結晶化を得ることは不可能となる。
【００６１】
最後に、大気圧は重合体の粘度に作用し、したがって、すでに述べたように結晶体の最終的な色彩に作用することになる。
【００６２】
他方、本発明による方法では、特に重合段階に作用する空気流量を変化させるのに適したすべての干渉を回避するよう、乾燥時に前記瓶を互いに配置することも想定されている。
【００６３】
そのため前記瓶は、被覆材の乾燥段階には互いにある距離、好ましくは少なくとも５ｃｍの間隔をあけて配置される
【００６４】
現在知られている物体に対するさまざまな装飾技術とは異なり、本発明による方法を通して得られる被覆材は全く偶発的なもので、自然の中で自然発生的に形成される霜晶にならったものである。
【００６５】
したがって、被覆された各物体は特異な特性を有しており、全く独創的なものである。
【００６６】
本発明はまた、前記方法を実施するための装置にも関するものである。
【００６７】
前記装置について、これから図１〜３を参照しながら説明する。
【００６８】
該装置は、重合させるのに適した前記物質を含むと共に、装飾すべき瓶２がその中に一列ごとに投入される、移動可能なタンク１を具備している。
【００６９】
ジャッキ付きピストン３により、前記タンク１が、瓶２を塗装するため瓶に向けてタンクを上昇させ、次いで再下降させるように、作動することが可能になる。
【００７０】
一旦洗浄して乾燥し、最適な反応温度に調整されると、前記瓶２は、連続的なクランプ５の列を備えた少なくとも一つのベルトコンベヤ４からなる捕捉および搬送手段によって、該装置の中に列をなして入り込む。
【００７１】
これらのクランプは好ましくは、一度吊るされると瓶２が、好ましくは少なくとも約５ｃｍの間隔をあけて互いに配置されるように配置される。
【００７２】
前記ベルトコンベヤ４は、一組の歯車６によってそれぞれが作動する平行した二つのチェーンによって、矢印Ａの示す方向に牽引される。
【００７３】
装置の入口に到達すると、瓶２はそれぞれ、製品の不要な侵入を全て回避するように気密性を保ちながら、首の位置で前記クランプ５により捕捉される。
【００７４】
瓶は、次いでベルトコンベヤ４の前進によってタンク１の方に搬送される。
【００７５】
瓶がタンク１の上に到達すると、このタンクはジャッキ付きピストン３に押されて上昇し、それにより該瓶が重合物質の中に投入される。
【００７６】
次いでタンク１は再下降し、ベルトコンベヤ４の連続的な動きにより瓶２の新しい列が搬入される。
【００７７】
前記装置はまた、一旦塗装した瓶２を、温度、湿度測定および通気の最適な条件下において乾燥させることができる手段を含む。
【００７８】
実際には、支持フレーム７は、空気を制御して通過させることのみ可能にすると共に、不規則なまたは急激な流れを回避するように配置され、またそれに適した寸法を有する開口部を備えた支柱８によって固定されている。
【００７９】
前記開口部によってもまた、温度の交換が可能となるのは、装置内部と、装置が設置され、そのうえ、所望の結果に応じて事前に規定された大気圧および湿度率が維持されている場所との間である。
【００８０】
前記瓶２は、塗装後直ちに、該装置のまさにその内部において乾燥に移される。
【００８１】
好ましい実施態様によれば、前記装置はさらに、該装置に列で瓶２を自動的に供給することを可能とする傾斜移動台９を含んでいる。
【００８２】
この移動台９は、矢印Ｂの方向に傾きながら、前記装置の入口に置かれているクランプ５の列の方に瓶２を搬入する。
【００８３】
瓶２の列はクランプ５によって捕捉され、次いで移動台９から送出されるが、該移動台は矢印Ｃの方向に傾いて初期の位置に戻り、瓶２の新しい列の導入が可能となる。
【００８４】
前記移動台９は、好ましくは、瓶２の列の送出を容易にするベルトおよび滑車の装置１０と、クランプ５の高さにある、より簡単なひっかけ装置とを含んでいる。
【００８５】
以上から明らかなように、本発明は、ガラスからなる物体の装飾の問題に対して、全く興味深くかつ独創的な解決策をもたらすものである。
【００８６】
実際今では、自然の中で観測される霜晶をできるだけ厳密に模倣した模様を、自動化された方法で、かつ従来技術では必ずしも可能ではなかったような特に簡単な実施方法によって、得ることが全面的に可能となる。
【００８７】
本発明はいくつかの特定の実施態様に関連して記述されているにもかかわらず、本発明が決してこれらに限定されるものではなく、また本発明の枠組みおよびその精神を逸脱することなしに、形態、材料、およびこれらのさまざまな要素の組合せをさまざまに変更し得ることは当然のことである。
【００８８】
特に、例としてガラスからなる瓶を取り上げて記述してはあるものの、本発明はまた、単に装飾的なものであっても、また家庭用や食品用であっても、全ての他の物体に関するものである。
【００８９】
特に、香水瓶、シャンパンまたはその他の酒精飲料の瓶のようなぜいたく品の容器には、大きな市場が関係している。
【図面の簡単な説明】
【００９０】
【図１】本発明による装置を可能な機能の状態において正面から見た、概略的な断面図を示したものである。
【図２】別の状態における装置の同一断面図を示したものである。
【図３】本発明による装置の単純化した斜視図を示したものである。
【符号の説明】
【００９１】
１  タンク
２  瓶
３  ジャッキ付きピストン
４  ベルトコンベヤ
５  クランプ
６  歯車
７  支持フレーム
８  支柱
９  移動台
９  傾斜移動台]
１０  装置
【図１】
2005510350.tif 000002
【図２】
2005510350.tif 000003
【図３】
2005510350.tif 000004
【国際調査報告】
2005510350.tif 000005
2005510350.tif 000006
2005510350.tif 000007
2005510350.tif 000008
2005510350.tif 000009
2005510350.tif 000010